(57)【特許請求の範囲】
【請求項１】
複数の凸状収容部（51）が整列して設けられ，上記凸状収容部の周囲全体にフランジ部（56）を有する基板（53）を備えるブリスター（50）を収納する収納体であって，
すべての上記凸状収容部が突出可能な広さの窓部（11，11Ａ）があけられた正面パネル（10，10Ａ，10Ｂ）と，上記正面パネルの裏面がわに重ね合わされて上記正面パネルと接着される背面パネル（20）とを備え，
上記ブリスターの両側のフランジ部が，上記窓部の両側のそれぞれにおいて上記正面パネルと上記背面パネルとの間に挟まれることになる，そのような幅を上記窓部が有しており，
上記正面パネルの上部に，上記ブリスターの下端両側部が差し込まれる一対の差込み口（12，12Ａ）が上記窓部に連続して形成されており，
上記正面パネルのうち，上記一対の差込み口の間に挟まれる面部が係止片（13）として用いられて，収納されたブリスターが取り出されるときに，上記係止片（13）の係止端（13Ａ）にブリスターの上端を当接させて上記ブリスターのスライド移動を係止するストッパ機構を備え，
上記背面パネルに，収納されたブリスターを押し上げて上記ストッパ機構による係止を解くための指通し孔（21）があけられている，
ブリスター収納体。
【請求項２】
上記窓部の下端部が互いに近づく方向の斜辺を有している，
請求項１に記載のブリスター収納体。
【請求項３】
上記正面パネルの上部および上記背面パネルの上部に，上記正面パネルおよび上記背面パネルの上部を背面に向けて撓ませるまたは折るための折り線（Ｌ４，Ｌ５，Ｌ６，Ｌ７）が形成されている，
請求項１に記載のブリスター収納体。
【請求項４】
上記正面パネルの係止片(13)の下に係止補強パネル(14)が設けられており，上記係止補強パネル(14)の係止端（14Ａ）が上記正面パネルの係止片（13）の係止端（13Ａ）の下に重なっている，請求項１に記載のブリスター収納体。
【請求項５】
上記指通し孔が，上記正面パネルと上記背面パネルとが重ね合わされたときに，その上端が上記正面パネルにあけられている窓部の上端と一致することになる位置にあけられており，
上記指通し孔の上端両側に一対の切込み（23）がそれぞれ形成されており，
上記背面パネルのうち，上記一対の切込みの間に挟まれる，上記指通し孔の上端を規定する面部が係止片（24）として用いられ，背面パネルの係止片（24）の係止端（24Ａ）が上記正面パネルの係止片（13）の係止端（13Ａ）の下に重なっている，
請求項１に記載のブリスター収納体。
【請求項６】
上記正面パネル（10）の正面がわの上部に重ね合わされて接着される係止補強パネル（15）を備え，上記係止補強パネルの係止端（15Ａ）が上記正面パネルの係止片（13）の係止端（13Ａ）の上に重なっている，
請求項１または５に記載のブリスター収納体。
【請求項７】
上記係止補強パネル（15）が上記正面パネル（10）の上端に連設されており，
折り返された係止補強パネル（15）が上記正面パネル（10）の正面がわの上部に重ね合わされている，
請求項６に記載のブリスター収納体。
【請求項８】
上記正面パネル（10）の上部および上記背面パネル（20）の上部の間に挟まれて接着される係止補強パネル（16)を備え，上記係止補強パネル（16)の係止端（16Ａ）が上記正面パネルの係止片（13）の係止端（13Ａ）の下に重なっている，
請求項１に記載のブリスター収納体。
【請求項９】
上記係止補強パネル（16）が上記窓部の上端に連設されており，
折り返された係止補強パネル（16）が上記正面パネル（10）と背面パネル（20）の間に挟まれている，
請求項８に記載のブリスター収納体。
【請求項１０】
複数の凸状収容部（51）が整列して設けられ，上記凸状収容部の周囲全体にフランジ部（56）を有する基板（53）を備えるブリスター（50）を収納する収納体であって，
すべての上記凸状収容部が突出可能な広さの窓部（11，11Ａ）があけられた正面パネル（10，10Ａ，10Ｂ）と，上記ブリスターの凸状収容部の配列に対応する配列で複数の内容物取出し孔（26）があけられており，上記正面パネルの裏面がわに重ね合わされて上記正面パネルと接着される背面パネル（20Ａ）とを備え，
上記ブリスターの両側のフランジ部が，上記窓部の両側のそれぞれにおいて上記正面パネルと上記背面パネルとの間に挟まれることになる，そのような幅を上記窓部が有しており，
上記正面パネルの上部に，上記ブリスターの下端両側部が差し込まれる一対の差込み口（12，12Ａ）が上記窓部に連続して形成されており，
上記正面パネルのうち，上記一対の差込み口の間に挟まれる面部が係止片（13）として用いられて，収納されたブリスターが取り出されるときに，上記係止片（13）の係止端（13Ａ）にブリスターの上端を当接させて上記ブリスターのスライド移動を係止する第１のストッパ機構を備え，
上記背面パネルに，収納されたブリスターを押し上げて上記第１のストッパ機構による係止を解くための指通し孔（21）があけられており，
上記正面パネルの正面がわの上部に重ね合わされる係止パネル（25）を備え，上記係止パネルの係止端（25Ａ）に，上記第１のストッパ機構による係止が解かれた上記ブリスターの上端を当接させて上記ブリスターのスライド移動を係止する第２のストッパ機構を備え，
上記第２のストッパ機構によって上記ブリスターのスライド移動が係止するときに上記ブリスターの凸状収容部と上記背面パネルの上記内容物取出し孔とが上下に重なるように，上記係止パネル（25）の係止端（25Ａ）が位置決めされている，
ブリスター収納体。
【請求項１１】
複数の凸状収容部（51）が整列して設けられ，上記凸状収容部の周囲全体にフランジ部（56）を有する基板（53）を備えるブリスター（50）を収納する収納体であって，
すべての上記凸状収容部が突出可能な広さの窓部（11，11Ａ）があけられた正面パネル（10，10Ａ，10Ｂ）と，上記ブリスターの凸状収容部の配列に対応する配列で複数の内容物取出し孔（26）があけられており，上記正面パネルの裏面がわに重ね合わされて上記正面パネルと接着される背面パネル（20Ａ）とを備え，
上記ブリスターの両側のフランジ部が，上記窓部の両側のそれぞれにおいて上記正面パネルと上記背面パネルとの間に挟まれることになる，そのような幅を上記窓部が有しており，
上記正面パネルの上部に，上記ブリスターの下端両側部が差し込まれる一対の差込み口（12，12Ａ）が上記窓部に連続して形成されており，
上記正面パネルのうち，上記一対の差込み口の間に挟まれる面部が係止片（13）として用いられて，収納されたブリスターが取り出されるときに，上記係止片（13）の係止端（13Ａ）にブリスターの上端を当接させて上記ブリスターのスライド移動を係止する第１のストッパ機構を備え，
上記背面パネルに，収納されたブリスターを押し上げて上記第１のストッパ機構による係止を解くための指通し孔（21）があけられており，
上記正面パネルの正面がわの上部に重ね合わされる係止パネル（27）を備え，上記係止片(13)の係止端（13Ａ）の上方に位置する上記係止パネルの係止端（27Ａ）に，上記第１のストッパ機構による係止が解かれた上記ブリスターの凸状収容部を当接させて上記ブリスターのスライド移動を係止する第２のストッパ機構を備え，
上記第２のストッパ機構によって上記ブリスターのスライド移動が係止するときに上記ブリスターの収容部と上記背面パネルの上記内容物取出し孔とが上下に重なるように，上記係止パネル（27）の係止端（27Ａ）が位置決めされている，
ブリスター収納体。
【請求項１２】
上記係止パネル（25，27）が上記背面パネルの上端に連設されており，
折返された係止パネルが上記正面パネルの正面がわの上部に接着される，
請求項１０または１１に記載のブリスター収納体。
【請求項１３】
上記係止パネル（25，27）が上記背面パネルの上端に連設されており，
上記係止パネルの上端にさらに差込みフラップ（28）が連設されており，
上記正面パネルおよび上記背面パネルに，折返された係止パネルの上端に連設する差込みフラップを差込む切込み（19，29）が形成されている，
請求項１０から１２のいずれか一項に記載のブリスター収納体。
【請求項１４】
上記係止パネル（25，27）が上記背面パネルの上端に連設されており，
上記係止パネルの両側端にさらに差込みフラップ（28）が連設されており，
上記正面パネルおよび上記背面パネルに，折返された係止パネルの両側端からさらに折返された差込みフラップを差込む差込孔（42，44）があけられている，
請求項１０から１２のいずれか一項に記載のブリスター収納体。
【発明の詳細な説明】
【技術分野】
【０００１】
この発明は，ブリスターを収納するためのブリスター収納体に関する。
【背景技術】
【０００２】
ブリスターは，表面がわに突出して形成された収容部内に内容物を閉じこめるもので，一般にはやや硬質のプラスチックでつくられる。裏面がわには台紙ないし封止シートが貼られる。台紙ないし封止シートを破るまたは取り除くことで，収容部に収容されている内容物が取り出される。
【０００３】
ブリスターはＰＴＰを含む。ＰＴＰはPress Through Package の略で，表面がわに突出して複数の収容部が形成されたプラスチック製の薄い基板の裏面にアルミニウム箔などの破りやすい封止シートを接着したものである。収容部には一般には薬剤，特に錠剤が収容（封入）される。突出している薬剤収容部を押すと基板の裏面側で封止シートが破れ，そこから薬剤収容部内の薬剤が取り出される。
【０００４】
子供による薬剤の誤飲を防止等するために，薬剤を収容したＰＴＰをパッケージングして，ＰＴＰ内の薬剤を不用意に取り出しにくくすることが提案されている。
【０００５】
特許文献１に記載のＰＴＰシートの包装体は，薬剤を取り出すための取り出し孔を開閉するための規制片を備えるもので，規制片をスライドすることによって取り出し孔は開閉される。ＰＴＰシートを包装する２つのシート（一片および他片）に加えて規制片を必要とするので，包装体をつくるために必要とされるシートは大きい。また規制片の面積は比較的広く，面積の広い規制片の全体をスライドするには指の力が必要とされる。
【０００６】
特許文献２，３および４の記載のパッケージも，ブリスターないしカードをパッケージングして薬剤を取出しにくくするものである。これらの文献に記載のパッケージはいずれも箱型の外側スリーブを用いている。構造が比較的複雑で，その製造には専用ラインが必要になると考えられる。
【先行技術文献】
【特許文献】
【０００７】
【特許文献１】特許第４２９９０３５号公報
【特許文献２】特表２０１３−５３６１３１号公報
【特許文献３】特表２００７−５１１４３５号公報
【特許文献４】特表２０１１−５１９７８７号公報
【発明の開示】
【０００８】
この発明は，ブリスター内の内容物が不用意に取出されないようにすることを，簡易に実現することを目的とする。
【０００９】
第１の発明によるブリスター収納体は，複数の凸状収容部が整列して設けられ，上記凸状収容部の周囲全体にフランジ部を有する基板を備えるブリスターを収納するものである。ブリスターはＰＴＰを含む。
【００１０】
第１の発明によるブリスター収納体は正面パネルおよび背面パネルを備えている。正面パネルには，すべての上記凸状収容部が突出可能な広さの窓部があけられている。背面パネルは，上記正面パネルの裏面がわに重ね合わされて上記正面パネルと接着される。収納されるブリスターの両側のフランジ部が，上記窓部の両側のそれぞれにおいて上記正面パネルと上記背面パネルとの間に挟まれることになる，そのような幅を上記窓部は有している。
【００１１】
正面パネルの上部に，上記ブリスター（基板）の下端両側部が差し込まれる一対の差込口が上記窓部に連続して形成されている。正面パネルに切込み，切抜きまたは打抜きを入れ，この切込み，切抜きまたは打抜きを差込み口として用いてもよいし，正面パネルを２枚のパネル部から構成し，２枚のパネル部の間のすき間（溝）を差込み口として用いてもよい。いずれにしてもブリスターは正面パネルの差込み口から収納体内に入れられ，そのままスライドさせることで収納体内に収納される。ブリスターが収納されると，正面パネルの窓部からブリスターの凸状収容部が突出し，窓部の両側でブリスターの両側フランジ部が正面パネルと背面パネルとの間に挟まれる。
【００１２】
第１の発明によるブリスター収納体は，上記正面パネルのうち，上記一対の差込み口の間に挟まれる面部を係止片として用い，収納されたブリスターが取り出されるときに，上記係止片の係止端にブリスターの上端を当接させて上記ブリスターのスライド移動を係止するストッパ機構を備えている。ブリスターを収納体に収納したときと同じようにして逆向きに単純にブリスターをスライド移動させるだけでは，ブリスターを収納体から取り出すことはできない。
【００１３】
上記背面パネルに，収納されたブリスターを押し上げて上記ストッパ機構による係止を解くための指通し孔が形成されている。指通し孔からブリスターを押し上げてストッパ機構による係止を解いた状態でブリスターをスライド移動させることで，ブリスターを収納体から取り出すことができる。一実施態様では，背面パネルに開口が形成されており，これが指通し孔として用いられる。他の実施態様では背面パネルに切込みが形成されており，この切込みに沿う背面パネルの一部の面部が押し上げられる。切込みに沿う背面パネルの面部を押し上げたときに背面パネルは開口する（指通し孔があく）ことになる。この態様も上記「指通し孔」には含まれる。
【００１４】
このように，第１の発明のブリスター収納体を用いると，ブリスターを単純にスライド移動させるだけではブリスター収納体からブリスターを取出すことはできない。ブリスターを取り出すためには，上述のように，背面パネルに形成された指通し孔を通してブリスター押し上げることが必要とされる。すなわち，背面パネルに形成された指通し孔を通じてブリスターを押し上げるという，単純ではあるが必要不可欠な操作が，ブリスターを収納体から取出すために必要である。
【００１５】
たとえば，ブリスターが錠剤を収容したＰＴＰであれば，幼い子供が誤って錠剤を飲むことを防止することができる。他方，ＰＴＰを取出すときの操作はさほど複雑ではないから，高齢者であってもＰＴＰを収納体から取り出すことができる。ＰＴＰ内の錠剤が不用意に取出されないようにすることが簡易に実現される。
【００１６】
一実施態様では，上記正面パネルにあけられた窓部の下端部が互いに近づく方向の斜辺を有している。斜辺は全体としてＵ字状でもよい。窓部から突出するブリスターの凸状収容部が正面パネルの窓部の下端部の斜辺に係合するので，そこでブリスターの収納を止めることができる。
【００１７】
好ましくは，上記正面パネルの上部および上記背面パネルの上部に，上記正面パネルおよび上記背面パネルの上部を背面に向けて撓ませるまたは折るための折り線が形成されている。正面パネルおよび背面パネルの上部を折り線に沿って背面に向けて撓ませるまたは折ると，正面パネルに形成されている上記一対の差込み口の下側に隙間が形成される。ブリスターの下端両端部を一対の差込み口に差し込みやすくすることができる。
【００１８】
他の実施態様では，上記正面パネルの係止片の下に係止補強パネルが設けられており，上記係止補強パネルの係止端が，上記正面パネルの係止片の係止端の下に重なっている。係止端の厚さが厚くなるので，スライド移動されたブリスターの上端を確実に係止端に当接することができる。上記ブリスターのスライド移動をより確実に係止することができる。
【００１９】
他の実施態様では，上記指通し孔が，上記正面パネルと上記背面パネルとが重ね合わされたときに，その上端が上記正面パネルにあけられている窓部の上端と一致することになる位置に形成されており，上記指通し孔の上端両側に一対の切込みがそれぞれ形成されており，上記背面パネルのうち，上記一対の切込みの間に挟まれる，上記指通し孔の上端を規定する面部が係止片として用いられ，上記係止片の係止端が上記正面パネルの係止片の係止端の下に重なっている。正面パネルの係止片と背面パネルの係止片とによって，係止端の厚さが厚くなるので，スライド移動されたブリスターの上端は確実に係止端に当接する。上記ブリスターのスライド移動を確実に係止することができる。
【００２０】
他の実施態様では，上記正面パネルの正面がわの上部に重ね合わされて接着される係止補強パネルが設けられ，上記係止補強パネルの係止端が上記正面パネルの係止片の係止端の上に重ねられる。この場合も係止端の厚さが厚くなるので，上記ブリスターのスライド移動を確実に係止することができる。
【００２１】
上記係止補強パネルは，上記正面パネルの上端に連設しておいてもよい。折り返された係止補強パネルが上記正面パネルの正面がわの上部に重ね合わされて接着される。
【００２２】
さらに他の実施態様では，上記正面パネルの上部および上記背面パネルの上部の間に挟まれて接着される係止補強パネルが設けられ，上記係止補強パネルの係止端が上記正面パネルの係止片の係止端の下に重ねられる。この場合も係止端の厚さが厚くなるので，上記ブリスターのスライド移動を確実に係止することができる。この係止補強パネルは，上記窓部の上端に連設しておいてもよい。折り返された係止補強パネルを上記正面パネルと背面パネルの間に挟むことができる。
【００２３】
第２の発明によるブリスター収納体は，複数の凸状収容部が整列して設けられ，上記凸状収容部の周囲全体にフランジ部を有する基板を備えるブリスターを収納するものであり，すべての上記凸状収容部が突出可能な広さの窓部があけられた正面パネルと，上記ブリスターの凸状収容部の配列に対応する配列で複数の内容物取出し孔があけられており，上記正面パネルの裏面がわに重ね合わされて上記正面パネルと接着される背面パネルとを備え，上記ブリスターの両側のフランジ部が，上記窓部の両側のそれぞれにおいて上記正面パネルと上記背面パネルとの間に挟まれることになる，そのような幅を上記窓部が有しており，上記正面パネルの上部に，上記ブリスターの下端両側部が差し込まれる一対の差込み口が上記窓部に連続して形成されており，上記正面パネルのうち，上記一対の差込み口の間に挟まれる面部が係止片として用いられて，収納されたブリスターが取り出されるときに，上記係止片の係止端にブリスターの上端を当接させて上記ブリスターのスライド移動を係止する第１のストッパ機構を備え，上記背面パネルに，収納されたブリスターを押し上げて上記第１のストッパ機構による係止を解くための指通し孔があけられており，さらに上記正面パネルの正面がわの上部に重ね合わされる係止パネルを備え，上記係止パネルの係止端に，上記第１のストッパ機構による係止が解かれた上記ブリスターの上端を当接させて上記ブリスターのスライド移動を係止する第２のストッパ機構を備え，上記第２のストッパ機構によって上記ブリスターのスライド移動が係止するときに上記ブリスターの凸状収容部と上記背面パネルの上記内容物取出し孔とが上下に重なるように，上記係止パネルの係止端が位置決めされていることを特徴とする。
【００２４】
第２の発明によると，第１のストッパ機構と第２のストッパ機構の２つの（２段階の）ストッパ機構を備える。第１のストッパ機構は，上述した第１の発明のブリスター収納体のストッパ機構と同様であり，上記ブリスターのスライド移動を係止する。ブリスターを収納体に収納したときと同じようにして逆向きに単純にブリスターをスライド移動させるだけでは，ブリスターをそれ以上スライド移動することはできない。上記背面パネルに形成された指通し孔を通じてブリスターを押し上げて第１のストッパ機構による係止を解いた状態でブリスターをスライド移動することで，ブリスターのさらなるスライド移動が可能になる。
【００２５】
第１のストッパ機構による係止を解いてブリスターをさらにスライド移動すると，次に，第２のストッパ機構によって，上記ブリスターの上端が係止パネルの上端に当接しここで上記ブリスターのスライド移動が係止する。このとき，上記ブリスターの凸状収容部と上記背面パネルにあけられている内容物取出し孔とが上下に重なる。ブリスターの凸状収容部を押すことで，背面パネルの内容物取出し孔を通じて凸状収容部内の内容物を外に取り出すことができる。
【００２６】
第２の発明においても，ブリスターを単純にスライド移動させるだけでは，ブリスター収納体の凸状収容部から内容物を外に取出すことはできない。内容物を取り出すためには，上述のように，背面パネルに形成された指通し孔を通してブリスター押し上げることが必要とされる。背面パネルに形成された指通し孔を通じてブリスターを押し上げるという，単純ではあるが必要不可欠な操作が，内容物を取出すために必要とされる。
【００２７】
また第２の発明によると，ブリスターの上端を係止パネルの係止端に当接させてブリスターのスライド移動が係止させると，そのときに内容物を取り出すことができるようになる。ブリスターを収納体の外に完全に取出す必要がなく，ブリスターのスライド移動量を少なくすることができる。
【００２８】
上述した第２のストッパ機構は，上記ブリスターの上端を係止パネルの係止端に当接させることで実現されている。ブリスターの上端に代えて，ブリスターの凸状収容部を係止パネルの係止端に当接させて，これにより第２のストッパ機構を実現してもよい。
【００２９】
上記係止パネルは，上記背面パネルの上端に連設して設けてもよい。折返された係止パネルが上記正面パネルの正面がわの上部に接着される。上記正面パネルに接着される係止パネルによって，上記正面パネルに形成されている一対の差込み口を塞いでもよい。ブリスター収納体からブリスターを取り出せないようにすることができる。
【００３０】
一実施態様では，上記係止パネルが上記背面パネルの上端に連設されており，上記係止パネルの上端にさらに差込みフラップが連設されており，上記正面パネルおよび上記背面パネルに，折返された係止パネルの上端に連設する上記差込みフラップを差込むための切込みが形成されている。この実施態様では，係止パネルは正面パネルに接着されずに，上記正面パネルおよび背面パネルに形成された切込みに差込みフラップを差込むことで，係止パネルが簡易に固定される。係止パネルを接着しないことでブリスター収納体を何度も再利用することができる。
【００３１】
他の実施態様では，上記係止パネルが上記背面パネルの上端に連設されており，上記係止パネルの両側端にさらに差込みフラップが連設されており，上記正面パネルおよび上記背面パネルに，折返された係止パネルの両側端からさらに折返された差込みフラップを差込む差込孔があけられている。この実施態様においても，係止パネルは正面パネルに接着されず，したがってブリスター収納体を何度も再利用することができる。
【図面の簡単な説明】
【００３２】
【図１】第１実施例のＰＴＰホルダーの展開図である。
【図２】ＰＴＰホルダーの正面図である。
【図３】ＰＴＰホルダーにＰＴＰを収納する様子を示す。
【図４】ＰＴＰの収納を終えたＰＴＰホルダーを示す。
【図５】図４のV-V線に沿う断面図である。
【図６】ＰＴＰのスライド移動がロックされている様子を示す，図５相当の断面図である。
【図７】ＰＴＰのスライド移動のロックが解かれた様子を示す，図５相当の断面図である。
【図８】第１変形例のＰＴＰホルダーの展開図である。
【図９】第１変形例のＰＴＰホルダーの正面図である。
【図１０】第２変形例のＰＴＰホルダーの展開図である。
【図１１】第２変形例のＰＴＰホルダーの上部拡大斜視図である。
【図１２】第３変形例のＰＴＰホルダーの展開図である。
【図１３】第３変形例のＰＴＰホルダーの上部拡大斜視図である。
【図１４】第４変形例のＰＴＰホルダーの展開図である。
【図１５】第４変形例のＰＴＰホルダーの正面図である。
【図１６】第４変形例のＰＴＰホルダーの他の展開図である。
【図１７】第５変形例のＰＴＰホルダーの展開図である。
【図１８】第５変形例のＰＴＰホルダーの上部拡大斜視図である。
【図１９】第６変形例のＰＴＰホルダーの展開図である。
【図２０】第６変形例のＰＴＰホルダーの上部拡大斜視図である。
【図２１】第２実施例のＰＴＰホルダーの展開図である。
【図２２】ＰＴＰホルダーにＰＴＰを収納する様子を示す。
【図２３】ＰＴＰが収納されたＰＴＰホルダーの正面図である。
【図２４】ＰＴＰが収納されたＰＴＰホルダーの背面図である。
【図２５】ＰＴＰのスライド移動が第１ロックされているときのＰＴＰホルダーの正面図である。
【図２６】ＰＴＰのスライド移動が第２ロックされているときのＰＴＰホルダーの正面図である。
【図２７】ＰＴＰのスライド移動が第２ロックされているときのＰＴＰホルダーの背面図である。
【図２８】第２実施例の第１変形例のＰＴＰホルダーの展開図である。
【図２９】ＰＴＰが収納された第１変形例のＰＴＰホルダーの正面図である。
【図３０】第２実施例の第２変形例のＰＴＰホルダーの展開図である。
【図３１】ＰＴＰが収納された第２変形例のＰＴＰホルダーの正面図である。
【図３２】ＰＴＰが収納された第２変形例のＰＴＰホルダーの背面図である。
【図３３】第２実施例の第３変形例のＰＴＰホルダーの正面図である。
【図３４】ＰＴＰが収納された第３変形例のＰＴＰホルダーの正面図である。
【図３５】ＰＴＰが収納された第３変形例のＰＴＰホルダーの背面図である。
【発明を実施するための形態】
【００３３】
以下，図面を参照してこの発明に係るＰＴＰホルダーを詳細に説明する。
【実施例１】
【００３４】
（基本例）
図１は第１実施例のＰＴＰホルダー（ブリスター収納体）を作製するための台紙（厚紙）の展開図（ブランク図）である。図２は組立後のＰＴＰホルダーの正面図である。
【００３５】
ＰＴＰホルダー１は，対をなす正面パネル10と背面パネル20を備えている。正面パネル10の外形と背面パネル20の外形は同じ長方形であり，これらを重ね合わせて接着することでＰＴＰホルダー１はつくられる。図１はＰＴＰホルダー１を作製したときにＰＴＰホルダー１の外側となる面を示している。
【００３６】
ＰＴＰホルダー１は厚紙からつくることができる。厚紙は板紙（ボール紙），ミルクカートン用紙，画用紙，ケント紙，段ボール等を含み，いわゆる合成紙（積層紙），複合紙でもよく，各種プラスチックフィルムを積層（たとえば表面にラミネート）したものでもよい。たとえば350ｇ／ｍ２〜400ｇ／ｍ２程度の坪量の厚紙が用いられる。
【００３７】
正面パネル10と背面パネル20とをそれらの一側端において連設したブランクを用意する。正面パネル10と背面パネル20の境界の折り線Ｌ１に沿って正面パネル10ないし背面パネル20を折り返すことで，正面パネル10の裏面がわに背面パネル20が位置するようにして，正面パネル10と背面パネル20とが重ね合わされる。折り易くするために，折り線Ｌ１に沿ってリード罫，押罫，ミシン目などを形成してもよい。
【００３８】
正面パネル10と背面パネル20の連設はそれらの側端でなくてもよい。正面パネル10の上端または下端に背面パネル20を連設することもできる。また，正面パネル10と背面パネル20をそれぞれ別体の２枚の厚紙から構成し，２枚の厚紙を貼り合わせることでＰＴＰホルダー１をつくることもできる。
【００３９】
正面パネル10のほぼ中央に，正面パネル10の長手方向と同一方向に長手方向を持つ窓部（開口）11があけられている。窓部11はほぼ長方形であるが，下端部については互いに近づく方向の斜辺が形成されている。
【００４０】
窓部11の上端の左右両端のそれぞれから，上方にのび，途中で互いに離れる向き（左右）にほぼ垂直に滑らかに曲がり，途中でさらに下方に向けて垂直に滑らかに曲がる，凸形状の一対の切込み12が正面パネル10に形成されている。詳細は後述するが，一対の切込み12は，そこからＰＴＰホルダー１にＰＴＰ50を収納できるようにするために形成されており，ＰＴＰ50の差込み口として用いられる（図３参照）。一対の切込み12は窓部11に連続しており，かつ互いに離れる向きにのびる部分を持てばよい。一対の凸状切込み12の間に挟まれている，窓部11の上方の正面パネル10の面部を，以下「係止片13」と呼ぶ。係止片13の下端（窓部11の上端でもある）を，以下「係止端13Ａ」と呼ぶ。
【００４１】
背面パネル20に，横向きに長い楕円形の指通し孔21があけられている。正面パネル10と背面パネル20を重ね合わせたときに，指通し孔21は正面パネル10の窓部11の上部と重なる位置に形成される。後述するように，指通し孔21は，そこに指を入れてＰＴＰを背面がわから正面がわに向けて押し上げるために用いられる。指通し孔21は貫通孔（開口）でなくてもよく，背面パネル20に切込みを形成したものであってもよい。いずれにしても指通し孔を通してＰＴＰを押し上げることができる。
【００４２】
図２を参照して，正面パネル10と背面パネル20は，上部，下部および両側部の四か所の接着部Ｎにおいて接着剤等により接着され，これにより重ねあわされた状態が保持される。上部の接着部Ｎは上述した係止片13に設けられる。
【００４３】
図３はＰＴＰホルダー１にＰＴＰ50を収納する様子を示している。図４はＰＴＰ50の収納を終えたＰＴＰホルダー１を示している。図５は図４のV-V線に沿う断面図である。
【００４４】
ＰＴＰ50は，表面がわに複数の薬剤収容部51が突出して形成されたプラスチック製の薄い基板53（図５参照）の裏面に，アルミニウム箔などの破りやすい封止シート54を接着したもので，薬剤収容部51のそれぞれに錠剤52が収容（封入）されている。薬剤収容部51は透明でも非透明でもよい。薬剤収容部51が透明であると，薬剤収容部51に収容されている錠剤52を，薬剤収容部51を通して視覚的に確認することができる。突出している薬剤収容部51を押すと，基板53の裏面がわで封止シート54が破れ，そこから内部の錠剤52を取り出すことができる。
【００４５】
図３，図４を参照して，ＰＴＰ50には複数の薬剤収容部51が整列して形成されている。この実施例のＰＴＰ50は，その全体的な形状がほぼ長方形で，縦方向に５つ，横方向に２つ，全部で10個の薬剤収容部51が，互いに間隔をあけて整列して並べられたタイプのものである。ＰＴＰ50の外側周囲部にはフランジ部56（薬剤収容部51が設けられていない板状部分）が設けられている。一般に，一つのＰＴＰ50には同一種類の錠剤52が各薬剤収容部51に収容される。ＰＴＰ50に設けられる薬剤収容部51の数および配列，ならびにＰＴＰ50の寸法は，錠剤52の種類によって様々である。同じ種類（同一製品）の錠剤52についてのＰＴＰ50であれば，薬剤収容部51の数および配列，ならびにＰＴＰ50の寸法は基本的に同じである。この実施例のＰＴＰホルダー１は，ＰＴＰ50の種類ごと，すなわち錠剤52の種類ごとに，その寸法（ＰＴＰホルダー１の全体の寸法，上述した窓部11の寸法，一対の切込み12の寸法ないし間隔など）が適宜調整される。
【００４６】
図３を参照して，ＰＴＰ50をＰＴＰホルダー１に収納するときは，ＰＴＰ50の下端両側部が，正面パネル10に形成された一対の切込み12にそれぞれ差し込まれる。ＰＴＰ50を下向きにスライドさせることで，ＰＴＰ50は係止片13上を滑るようにしてＰＴＰホルダー１に収納されていく。ＰＴＰ50の両側のフランジ部56が，窓部11の左右の両側のそれぞれにおいて，正面パネル10と背面パネル20に挟まれる。好ましくは，窓部11の幅（左右方向の長さ）を，ＰＴＰ50において横方向に並んで形成されている２つの薬剤収容部51の全幅（左側の薬剤収容部51の左端と右側の薬剤収容部51の右端の間の長さ）とほぼ等しくするとよい。窓部11の両側において薬剤収容部51がガイドされるので，ＰＴＰ50をＰＴＰホルダー１に円滑に収納することができる。
【００４７】
上述したよう窓部11の下端は互いに近づく方向の斜辺を持つ。図４を参照して，この窓部11の下端の斜辺にＰＴＰ50の最下段の一対の薬剤収容部51が当接し，ここでＰＴＰ50のＰＴＰホルダー１への収納は完了する。完全に収納されたとき，ＰＴＰ50はその両側のフランジ部56が全長にわたって正面パネル10と背面パネル20との間に挟まれ，すべての薬剤収容部51が窓部11から突出した状態になる。また，完全に収納された状態において，ＰＴＰ50の上端と係止片13の係止端13Ａ（窓部11の上端）との間にはわずかに隙間があく。
【００４８】
窓部11の下端の斜辺にＰＴＰ50の最下段の薬剤収容部51を当接させてＰＴＰ50のＰＴＰホルダー１への収納を止めるのに代えて，正面パネル10と背面パネル20を接着する接着部Ｎ（図２）を用いて，ＰＴＰ50のＰＴＰホルダー１への収納を止めてもよい。この場合には，正面パネル10と背面パネル20の下部の接着部ＮにＰＴＰ50の下端が当たり，そこでＰＴＰ50のＰＴＰホルダー１への収納が止まる。接着部Ｎを用いる場合には窓部11の下端に必ずしも斜辺を形成する必要はない。もっとも，ＰＴＰ50のＰＴＰホルダー１への収納を確実に止めるには，窓部11の下端に斜辺を形成しておき，そこにＰＴＰ50の最下段の薬剤収容部51を当接させるのがよい。
【００４９】
図６および図７は，収納されたＰＴＰ50をＰＴＰホルダー１から取出す様子を示す，図５相当の断面図である。
【００５０】
ＰＴＰ50をＰＴＰホルダー１から取出すときには，収納したときの向きと逆向きに，すなわちＰＴＰホルダー１の上方に向けて，ＰＴＰ50をスライド移動させる。収納状態のＰＴＰ50はＰＴＰホルダー１の背面パネル20上に載っているので，ＰＴＰ50（その基板53）と，ＰＴＰホルダー１を構成する正面パネル10とが同じ高さ位置にある。このため，図６を参照して，ＰＴＰ50を上方に向けてスライド移動すると，ＰＴＰ50の上端（基板53の上端）が正面パネル10の係止片13の係止端13Ａに当接し，ここでＰＴＰ50のスライド移動にロックがかかる。単純にスライド移動させるだけでは，ＰＴＰ50をＰＴＰホルダー１から取出すことができない。このように第１実施例では，正面パネル10の係止片13の係止端13Ａが，ＰＴＰ50のスライド移動を係止するストッパ機構（第１のストッパ機構）として機能する。
【００５１】
そこで，ＰＴＰホルダー１の背面パネル20にあけられている指通し孔21から指を入れてＰＴＰ50を押し上げる。図７を参照して，ＰＴＰ50の基板53は薄いプラスチック製であるから，指で上向きに押すとＰＴＰ50の押された部分が上方（表面側）に湾曲する。ＰＴＰ50を，係止端13Ａの厚さを超えるまで湾曲させ，その状態でＰＴＰ50を上方に向けてスライド移動すると，ＰＴＰ50は係止片13上に乗り上がる。そのまま上方へのスライド移動を続けることで，ＰＴＰ50をＰＴＰホルダー１から取出すことができる。ＰＴＰホルダー１から取出されたＰＴＰ50から錠剤52が取出される。このように指通し孔21は，ＰＴＰ50を押し上げてストッパ機構による係止を解き，ＰＴＰ50のさらなるスライド移動（ＰＴＰ50のＰＴＰホルダー１からの取出し）を可能にするために形成されている。
【００５２】
このようにＰＴＰホルダー１を用いると，ＰＴＰ50を単純にスライド移動させるだけでは，ＰＴＰホルダー１からＰＴＰ50を取出すことができず，錠剤52を取出すことができない。ＰＴＰ50を取り出すためには，上述のように，背面パネル20にあけられた指通し孔21を通してＰＴＰ50を押し上げることが必要とされる。すなわち，背面パネル20にあけられた指通し孔21を通じてＰＴＰ50を押し上げるという，単純ではあるが必要不可欠な操作が，ＰＴＰ50を取出すために必要である。このため幼い子供が誤って錠剤52を飲むことを防止することができる。他方，ＰＴＰ50を取出すときの操作はさほど複雑ではないから，高齢者であってもＰＴＰ50をＰＴＰホルダー１から取り出すことができる。
【００５３】
ＰＴＰホルダー１は，たとえば調剤薬局において，ＰＴＰ50に収納された錠剤52を患者に渡すときに，一緒に患者に渡される。もちろん，調剤薬局においてＰＴＰホルダー１にＰＴＰ50を収納して，ＰＴＰホルダー１に収納した状態でＰＴＰ50を患者に渡してもよい。調剤薬局において，上述したＰＴＰ50の取出し方法（背面パネル20の指通し孔21を通してＰＴＰ50を押上げること）が患者に説明されよう。
【００５４】
（第１変形例）
図８および図９はＰＴＰホルダーの第１変形例を示すものである。図８は第１変形例のＰＴＰホルダーの展開図（ブランク図），図９は組立後の第１変形例のＰＴＰホルダーの正面図である。第１実施例の基本形のＰＴＰホルダー１と同一部材には同一符号を付し，重複説明を省略する。
【００５５】
第１変形例のＰＴＰホルダー１Ａは，正面パネルが２つのパネル部10Ａ，10Ｂによって構成されている点，２つのパネル部10Ａ，10Ｂの間のすき間12Ａが，ＰＴＰ50をＰＴＰホルダー１Ａに収納するための差込み口として用いられる点が，第１実施例の基本形のＰＴＰホルダー１と異なる。
【００５６】
背面パネル20の下端に第１の正面パネル部10Ａが折り線Ｌ２を介して連設されている。背面パネル20の上端に第２の正面パネル部10Ｂが折り線Ｌ３を介して連設されている。折り線Ｌ２において第１の正面パネル部10Ａが折り返され，かつ折り線Ｌ３において第２の正面パネル部10Ｂも折り返される。第１，第２の正面パネル部10Ａ，10Ｂの両方が，背面パネル20に重ね合わされる。
【００５７】
第１の正面パネル部10Ａに一端が閉じていない窓部（切抜き）11Ａが形成されている。図９に示すように，第１，第２の正面パネル部10Ａ，10Ｂを背面パネル20に重ねると，閉じていない第１の正面パネル部10Ａの窓部（切抜き）11Ａの一端が，第２の正面パネル部10Ｂ（その係止片13）によっておおよそ閉じられる。
【００５８】
また，背面パネル20に重ね合わされた状態において，第１の正面パネル部10Ａと第２の正面パネル部10Ｂとの間（係止片13の両側）にはわずかにすき間12Ａがあく。第１変形例では，このすき間12ＡがＰＴＰ50をＰＴＰホルダー１Ａに収納するときの差込み口として用いられる。
【００５９】
（第２変形例）
図１０および図１１はＰＴＰホルダーの第２変形例を示すものある。図１０は第１変形例のＰＴＰホルダーの展開図（ブランク図），図１１は組立後の第１変形例のＰＴＰホルダーの上部拡大斜視図である。
【００６０】
第２変形例のＰＴＰホルダー２は，正面パネル10および背面パネル20に折り線（押し罫）Ｌ４，Ｌ５が形成されている点が，上述した第１実施例（基本形）のＰＴＰホルダー１と異なる。正面パネル10には一対の折り線Ｌ４が形成されており，一対の折り線Ｌ４は，正面パネル10に形成された一対の凸状切込み12の先端のそれぞれから正面パネル10の右上隅および左上隅にまで斜めにそれぞれのびている。背面パネル20にも一対の折り線Ｌ５が形成されている。一対の折り線Ｌ５は，円形の指通し孔21から背面パネル20の右上隅および左上隅にまで斜めにそれぞれのびている。正面パネル10の折り線Ｌ４と背面パネル20の折り線Ｌ５とは，正面パネル10と背面パネル20を重ね合わせたときにちょうど重なる位置に形成されている。
【００６１】
上述した折り線Ｌ４，Ｌ５が形成されているので，係止片13を含むＰＴＰホルダー２の上部はややたわみやすい。図１１を参照して，ＰＴＰホルダー２の上部を背面がわにたわませると，正面パネル10に形成されている一対の切込み（差込み口）12の下側にわずかな隙間があく。この隙間からＰＴＰ50の下端両側部を差込むことができるので，ＰＴＰ50をＰＴＰホルダー２に収納しやすくなる。
【００６２】
（第３変形例）
図１２および図１３は第３変形例のＰＴＰホルダーを示すものである。図１２は第３変形例のＰＴＰホルダーの展開図（ブランク図），図１３は組立後の第３変形例のＰＴＰホルダーの上部拡大斜視図である。
【００６３】
第３変形例のＰＴＰホルダー３の正面パネル10には，正面パネル10に形成された一対の切込み12の先端のそれぞれから横向きに，折り線Ｌ６が正面パネル10の両側端にまでのびて形成されている。ＰＴＰホルダー３の背面パネル20にも，正面パネル10と背面パネル20を重ね合わせたときに正面パネル10の折り線Ｌ６とちょうど重なる位置に，折り線Ｌ７が形成されている。
【００６４】
背面パネル20にあけられている指通し孔21は下向きのほぼ三角形の形状を持ち，その一辺が横向きにのびている。背面パネル20を正面パネル10と重ね合わせたときに，三角形の指通し孔21の横向きにのびる一辺が，正面パネル10にあけられている窓部11の上端と一致する。
【００６５】
指通し孔21の横向きにのびる一辺の両端に，互いに離れる向きに凸状の短い切込み23がそれぞれ形成されている。一対の切込み23に挟まれている，指通し孔21の上方に位置する背面パネル20の面部を「係止片24」と呼ぶ。係止片24の下端（指通し孔21の上端でもある）を「係止端24Ａ」と呼ぶ。背面パネル20の係止片24は，正面パネル10と背面パネル20を重ね合わせたときに，正面パネル10の係止片13にちょうど重なり合う。
【００６６】
上述した折り線Ｌ６，Ｌ７が形成されているので，ＰＴＰホルダー３の上部は折り線Ｌ６，Ｌ７に沿って折れやすい。図１３を参照して，折り線Ｌ６，Ｌ７に沿ってＰＴＰホルダー３の上部をわずかに背面がわに折ると，ＰＴＰホルダー３の正面パネル10に形成された一対の切込み12の下側にわずかな隙間があく。この隙間を利用して切込み12にＰＴＰ50の下端両側部を差込むことができる。ＰＴＰ50をＰＴＰホルダー３に収納しやすい。
【００６７】
上述のように折り線Ｌ６，Ｌ７に沿ってＰＴＰホルダー３の上部を背面がわに折ると，正面パネル10の係止片13が斜めに傾斜し，係止片13の係止端13Ａはやや上方に（正面がわ）位置することになる。ここで上述したように，正面パネル10の係止片13には背面パネル20の係止片24が重なっている。このため，正面パネル10の窓部11の上端には，係止片13の係止端13Ａと係止片24の係止端24Ａとが重なり，係止端の厚さが厚くなっている。ＰＴＰホルダー３の上部を折ることで正面パネル10の係止片13の係止端13Ａがやや上方に位置しても，係止端13Ａの下側にさらに係止端24Ａが存在し，二重の厚さの係止端になっているので，スライド移動されるＰＴＰ50の上端をそこに確実に当接させることができ，ＰＴＰ50のスライド移動を確実に係止することができる。この変形例では，正面パネル10の係止片13の係止端13Ａと背面パネル20の係止片24の係止端24Ａとが，ＰＴＰ50のスライド移動を係止するストッパ機構として機能する。
【００６８】
ＰＴＰホルダー３の背面パネル20にあけられている指通し孔21を通してＰＴＰ50を指で押し上げることでストッパ機構（係止端13Ａ，24Ａ）による係止を外し，これによってＰＴＰ50のさらなるスライド移動を可能にするのは，上述した第１実施例の基本形（図７参照）と同じである。
【００６９】
（第４変形例）
図１４および図１５はＰＴＰホルダーの第４変形例を示すものである。図１４は第４変形例のＰＴＰホルダーの展開図（ブランク図），図１５は第４変形例のＰＴＰホルダーの正面図である。
【００７０】
第４変形例のＰＴＰホルダー３Ａは，上述した第１変形例のＰＴＰホルダー１Ａ（図８，図９参照）に対して，二重の厚みを持つ係止端を持たせた点が異なる。図１４を参照して，第２の正面パネル部10Ｂに含まれる係止片13の上端に，係止片13とほぼ同一形状の係止補強パネル14が折り線Ｌ８を介して連設されている。折り線Ｌ８において係止補強パネル14を折り返すことで，係止片13と係止補強パネル14とが重ね合わされる。図１５を参照して，係止片13の係止端13Ａの下に係止補強パネル14の係止端14Ａが重なり，係止端の厚さが厚くなる。ＰＴＰ50のスライド移動を確実に係止することができる。
【００７１】
図１６に示すように，第１の正面パネル部10Ａを，背面パネル20の下端ではなく一側端に連設してもよい。図１６に示す展開図であってもＰＴＰホルダー３Ａ（図１５）をつくることができる。
【００７２】
（第５変形例）
図１７および図１８は第５変形例のＰＴＰホルダーを示している。図１７は第５変形例のＰＴＰホルダーの展開図（ブランク図），図１８は組立後の第５変形例のＰＴＰホルダーの上部拡大斜視図である。
【００７３】
第５変形例のＰＴＰホルダー４は，上述した第３変形例のＰＴＰホルダー３（図１３参照）の正面パネル10の上部に，係止補強パネル15が重ね合わされている点が異なる。
【００７４】
図１７を参照して，係止補強パネル15は，折り線Ｌ９を介して正面パネル10の上端に連設されている。係止補強パネル15は折り線Ｌ９に沿って谷折され，正面パネル10の正面がわに重ね合わされて接着される。係止補強パネル15の先端縁（正面パネル10とつながる辺と反対側の辺）には，間隔をあけて一対の切欠き部15ａが形成されている。一対の切欠き部15ａによって挟まれている係止補強パネル15の先端縁部分を「係止端15Ａ」と呼ぶ。
【００７５】
係止補強パネル15の２つの切欠き部15ａは，正面パネル10に形成された一対の切込み12に対応する形状を持ち，かつ対応する位置に形成されている。図１８を参照して，係止補強パネル15が谷折されて正面パネル10に重ね合わされたとき，係止補強パネル15によって切込み12が塞がれてしまうことはない。
【００７６】
係止補強パネル15の２つの切欠き部15ａの間の面部は，正面パネル10の係止片13および背面パネル20の係止片24と重なり合う。ＰＴＰホルダー４の窓部11の上端には，係止端24Ａ，係止端13Ａおよび係止端15Ａが，背面がわから正面がわに向けてこの順番に重なることになる。この変形例では，正面パネル10の係止片13の係止端13Ａと，背面パネル20の係止片24の係止端24Ａと，係止補強パネル15の係止端15Ａとが，ＰＴＰ50のスライド移動を係止するストッパ機構として機能する。三重に重ねられた係止端13Ａ，24Ａ，15ＡにＰＴＰ50の上端を確実に当接させて，ＰＴＰ50のスライド移動を確実に係止することができる。三重の係止端を持つので，第５変形例のＰＴＰホルダー４では厚さの薄い素材を採用することもできる。
【００７７】
（第６変形例）
図１９および図２０は第６変形例のＰＴＰホルダーを示している。図１９は第６変形例のＰＴＰホルダーの展開図（ブランク図），図２０は組立後の第６変形例のＰＴＰホルダーの上部拡大斜視図である。上述した第３変形例のＰＴＰホルダー３とは，正面パネル10の上部および背面パネル20の上部に係止補強パネル16が挟まれている点が異なる。
【００７８】
図１９を参照して，正面パネル10の窓部11の上端に折り線Ｌ10を介して方形の係止補強パネル16が連設されている。係止補強パネル16を折り線Ｌ10に沿って山折することで，係止補強パネル16は正面パネル10の裏面に重ね合わされ，その後に正面パネル10に背面パネル20が接着される。これによりＰＴＰホルダー５の上部において，係止補強パネル16が正面パネル10と背面パネル20との間に挟まれる。図２０を参照して，窓部11の上端には，係止端24Ａ，係止補強パネル16の係止端16Ａおよび係止端13Ａが，背面がわから正面がわに向けてこの順番に重なる。第５変形例と同様に，三重の係止端24Ａ，16Ａ，13ＡによってＰＴＰ50のスライド移動を確実に係止することができる。
【実施例２】
【００７９】
（基本形）
図２１から図２７は第２実施例のＰＴＰホルダーを示している。図２１はＰＴＰホルダーを作製するための台紙（厚紙）の展開図（ブランク図），図２２は組立後のＰＴＰホルダーにＰＴＰを収納する様子を示す正面図，図２３はＰＴＰ50が収納されたＰＴＰホルダーの正面図，図２４は図２３に示す状態のＰＴＰホルダーの背面図である。図２５はＰＴＰのスライド移動がロックされている様子を示す正面図，図２６は錠剤を取出すことができる位置にまでＰＴＰをスライド移動させた状態を示す正面図，図２７は図２６に示す状態のＰＴＰホルダーの背面図である。上述した第１実施例のＰＴＰホルダーおよびＰＴＰと同じ部材等には同一符号を付し，重複した説明を省略する。
【００８０】
上述した第１実施例のＰＴＰホルダー１〜５は，ＰＴＰホルダーの外にＰＴＰを取出すことで，錠剤を取出すことができるようになるタイプのものである。第２実施例のＰＴＰホルダーは，第１実施例のＰＴＰホルダーとは異なり，ＰＴＰホルダーからＰＴＰを取出すことなく，ＰＴＰホルダーに収納した状態のままで錠剤を取出すことができるタイプのものである。
【００８１】
図２１を参照して，ＰＴＰホルダー６を構成する背面パネル20Ａには，収納されるＰＴＰ50に設けられている薬剤収容部51と同じ配列で薬剤取出し孔26があけられている。最上段の薬剤取出し孔26は指通し孔21と一部が重なって形成されている。
【００８２】
背面パネル20Ａの上端に，矩形の係止パネル25が折り線Ｌ11を介して連設されている。後述するように，係止パネル25は山折りされて折返され，正面パネル10の正面がわに重ね合わされて接着される。係止パネル25の上端を「係止端25Ａ」と呼ぶ。
【００８３】
図２２を参照して，正面パネル10と背面パネル20Ａが重ね合わされて接着される。正面パネル10に形成された一対の切込み12にＰＴＰ50の下端両側部を差し込み，ＰＴＰ50を下向きにスライド移動させる。ＰＴＰ50は係止片13上を滑るようにしてＰＴＰホルダー６に収納される。図２３を参照して，完全にＰＴＰホルダー６に収納した状態において，ＰＴＰ50の両側のフランジ部56が，窓部11の両側において全長にわたって正面パネル10と背面パネル20Ａとの間に挟まれ，すべての薬剤収容部51が窓部11から突出し，ＰＴＰ50の上端と係止片13の係止端13Ａ（窓部11の上端）との間にはわずかに隙間があくのは，第１実施例と同じである。
【００８４】
ＰＴＰ50のＰＴＰホルダー６への収納を終えた後，折り線Ｌ11に沿って係止パネル25が山折りされ，正面パネル10の正面がわに重ね合わされて接着される。正面パネル10に形成されている切込み12の一部が係止パネル25によって塞がれる。
【００８５】
図２４を参照して，ＰＴＰホルダー６にＰＴＰ50を収納した状態において，ＰＴＰ50の薬剤収容部51の直下（真裏）に位置する，ＰＴＰ50の裏面がわの薬剤取出し範囲55（破線で示す）と，ＰＴＰホルダー６の背面パネル20Ａにあけられている薬剤取出し孔26との間にはずれがある。薬剤取出し範囲55が背面パネル20Ａによって塞がれているので，この状態では背面パネル20Ａにあけられた薬剤取出し孔26を通して薬剤52を取出すことはできない。
【００８６】
錠剤52を取出すときには，ＰＴＰ50がＰＴＰホルダー６の上方に向けてスライド移動される。
【００８７】
図２５を参照して，ＰＴＰ50を上方に向けてスライド移動すると，第１実施例と同様にして，ＰＴＰ50の上端が正面パネル10の係止片13の係止端13Ａに当接し，ここでＰＴＰ50のスライド移動にロックがかかる（第１のストッパ機構）。ＰＴＰ50の上端が係止片13の係止端13Ａに当接した状態においても，ＰＴＰ50の裏面がわの薬剤取出し範囲55と，背面パネル20Ａにあけられた薬剤取出し孔26との間には未だにずれがある。この状態でも，背面パネル20Ａにあけられた薬剤取出し孔26を通して錠剤52を取出すことはできない。
【００８８】
第１実施例のＰＴＰホルダーと同様に，第２実施例のＰＴＰホルダーにおいても背面パネル20Ａに指通し孔21があけられているので，背面パネル20Ａにあけられている指通し孔21を通してＰＴＰ50を押し上げることで，係止端13Ａ（第１のストッパ機構）によるＰＴＰ50の上端の係止を外すことができる。ＰＴＰ50を押し上げることで第１のストッパ機構による係止が解かれ，ＰＴＰ50を上方に向けてさらにスライド移動させると，ＰＴＰ50は係止片13上に乗上げ，さらに上方に進む。
【００８９】
上述したように，ＰＴＰホルダー６の正面パネル10の上部には係止パネル25が重なっている。図２６を参照して，係止片13に乗上げたＰＴＰ50は，次にその上端が係止パネル25の係止端25Ａに当接し，ここで再びスライド移動にロックがかかる（第２のストッパ機構）。係止パネル25の係止端25Ａは，係止片13の係止端13Ａと間隔をあけて係止端13の上方に位置しているのは言うまでもない。
【００９０】
図２７を参照して，ＰＴＰ50の上端を係止パネル25の係止端25Ａに係止させた状態において，すなわち第２のストッパ機構によってＰＴＰ50のスライド移動が係止されているときに，ＰＴＰ50の裏面がわの薬剤取出し範囲55とＰＴＰホルダー６の背面パネル20Ａにあけられた薬剤取出し孔26とがちょうど重なり合う。ＰＴＰホルダー６の正面がわから薬剤収容部51を押すと，ＰＴＰ50の裏面がわで薬剤取出し範囲55の部分の封止シートが破け，背面パネル20Ａの薬剤取出し孔26を通して薬剤収納部51に収納されている錠剤52を外に出すことができる。
【００９１】
第１実施例のＰＴＰホルダーと同様に，第２実施例のＰＴＰホルダー６も，そこに収納されたＰＴＰ50から錠剤52を取出すときには，背面パネル20Ａにあけられた指通し孔21を通じてＰＴＰ50を押し上げるという，単純ではあるが必要不可欠な操作が必要とされる。幼い子供が誤って錠剤52を飲むことを防止することができる。ＰＴＰ50を取出すときの操作は複雑なものでないから，高齢者であっても対処可能である。
【００９２】
第２実施例のＰＴＰホルダー６は，第１実施例のＰＴＰホルダーと比べて錠剤52を取出すときのＰＴＰ50のスライド移動量が少ない。上述した子供の錠剤の誤飲等の防止を実現しつつ，錠剤52を取出すときの負担を軽減するものでもある。
【００９３】
第２実施例のＰＴＰホルダー６についても，第１実施例の第１変形例のＰＴＰホルダー１Ａ（図８，図９）と同様にして，正面パネル10を２つのパネル部から構成することもできる。
【００９４】
（第１変形例）
図２８および図２９は第２実施例の第１変形例を示すものである。図２８は第１変形例のＰＴＰホルダーを作製するための台紙の展開図（ブランク図），図２９はＰＴＰを収納した組立後のＰＴＰホルダーの正面図である。
【００９５】
第１変形例のＰＴＰホルダー７は，薬剤取出し孔26の形状が，ＰＴＰ50において横向きに並ぶ２つの薬剤収容部51に対応するもの（横向きに並ぶ２つの薬剤収容部51に対応して１つの幅広の薬剤取出し孔26があけられているもの）である点が，上述したＰＴＰホルダー６と異なる。最上段の薬剤取出し孔26は指通し孔としても用いられる。また，背面パネル20Ａの上端に折り線Ｌ12を介して連設されている係止パネル27の上端に，一対の窪み部（凹部）27Ａが間隔をあけて形成されている。
【００９６】
第１変形例のＰＴＰホルダー７は，ＰＴＰ50の上端を，正面パネル10の上部に重ねられて接着された係止パネル27の係止端に当接させるのではなく，ＰＴＰ50の薬剤収納部51を，係止パネル27に形成された窪み部（凹部）27Ａに当接させることで，上述したＰＴＰ50のスライド移動のロック（２段階目のロック）（第２のストッパ機構）を実現するものである。係止パネル27に形成された窪み部（凹部）27Ａが，２段階目のスライド移動のロック（第２のストッパ機構）のための係止端として用いられる。
【００９７】
最上段の薬剤収容部51が係止パネル27の窪み部（凹部）27Ａに当接してＰＴＰ50のスライド移動がロックされたときに，ＰＴＰ50の裏面の薬剤取出し範囲55とＰＴＰホルダー７の背面パネル20Ａにあけられた薬剤取出し孔26とがちょうど重なり合う。この状態で薬剤収容部51を押すと，背面パネル20Ａにあけられた薬剤取出し孔26を通して，薬剤収容部51に収納されている錠剤52を取り出すことができる。
【００９８】
（第２変形例）
図３０から図３２は第２変形例を示すものである。図３０は第２変形例のＰＴＰホルダーを作製するための台紙の展開図（ブランク図），図３１はＰＴＰ50を収納した組立後のＰＴＰホルダーの正面図，図３２はその背面図である。
【００９９】
上述した係止パネル27の上端の窪み部（凹部）27Ａの両側のそれぞれに，先端に半円形の頭部28ａを備える概略三角形の開閉フラップ28が上向きに折り線Ｌ13を介して連設されている。また，正面パネル10の窓部11の左右に，上記開閉フラップ28の頭部28ａを差込むための一対の切込み19が入れられている。背面パネル20Ａの最上段の薬剤取出し孔26の左右にも，上記開閉フラップ28の頭部28ａを差込むための一対の切込み29が入れられている。正面パネル10と背面パネル20Ａを重合わせたとき，正面パネル10に形成された一対の切込み19と背面パネル20Ａに形成された一対の切込み29とはちょうど重なり合う。
【０１００】
係止パネル27を折り線Ｌ12に沿って折り返し，正面パネル10に重ね合わせる。第１変形例と異なり，第２変形例では係止パネル27は正面パネル10に接着されない。図３１，図３２を参照して，折り返した係止パネル27の上端に折り線Ｌ13を介して連設されている一対の開閉フラップ28の頭部28ａを，正面パネル10に形成された一対の切込み19にそれぞれ差し込み，さらに背面パネル20Ａの切込み29にもそれぞれ差し込む。ＰＴＰホルダー８の背面がわでは，切込み19，29に差込まれた開閉フラップ28の頭部28ａが背面パネル20Ａの外に出る。
【０１０１】
第２変形例のＰＴＰホルダー８は係止パネル27が正面パネル10に接着されていず，開閉フラップ28および係止パネル27を何度も開け閉めすることができるから，収納されるＰＴＰ50を交換することができ，繰返して再利用することができる。
【０１０２】
（第３変形例）
開閉フラップはＰＴＰホルダーの両側部に設けることもできる。図３３から図３５は，両側部に開閉フラップが設けられた，第３変形例のＰＴＰホルダーを示している。図３３は第３変形例のＰＴＰホルダーの展開図（ブランク図），図３４はＰＴＰを収納した組立後のＰＴＰホルダー正面図，図３５はその背面図である。
【０１０３】
背面パネル20Ａの上端に折り線Ｌ12を介して係止パネル41が連設されている。係止パネル41の上端中央部分は大きく下向きに窪んでおり，そこに一対の窪み部（凹部）41Ａが形成されている。窪み部（凹部）41ＡがＰＴＰ50の薬剤収容部51を当接させる係止端として用いられるのは，第１変形例と同じである。係止パネル41の両側端のそれぞれには，折り線Ｌ14を介して，先端に半円形の頭部28ａを備える開閉フラップ28が側方を向いて連設されている。一対の開閉フラップ28のそれぞれには，折り線Ｌ14とほぼ平行に別の折り線Ｌ15も形成されている。
【０１０４】
正面パネル10の窓部11の左右に，開閉フラップ28の頭部28ａを差込むための一対の差込み孔44があけられている。背面パネル20Ａの最上段の薬剤取出し孔26の左右にも，上記開閉フラップ28の頭部28ａを差込むための一対の差込み孔42があけられている。正面パネル10と背面パネル20Ａとが重ね合わされたとき，正面パネル10にあけられた一対の差込み孔44と背面パネル20Ａにあけられた一対の差込み孔42とはちょうど重なり合う。
【０１０５】
図３４，図３５を参照して，係止パネル41を折返して正面パネル10に重ね合わせ，さらに係止パネル41の両側部に連設されている一対の開閉フラップ28を，ＰＴＰホルダー９の両側部から背面がわに向けてそれぞれ折り返す。開閉フラップ28の頭部28ａを，背面パネル20Ａの差込み孔42に差込み，さらに正面パネル10にあけられている差込み孔44にも差込む。開閉フラップ28の頭部28ａは，正面パネル10にあけられた差込み孔44から外に出る（正面パネル10の差込み孔44は係止パネル41に覆われているので，正面パネル10から外に出た開閉フラップ28の頭部28ａは見えない）。第２変形例のＰＴＰホルダー９も，開閉フラップ28および係止パネル41を何度も開け閉めすることができ，ＰＴＰ50を交換することができるので，繰返して再利用することができる。
【符号の説明】
【０１０６】
１，１Ａ，２，３，３Ａ，４，５，６，７，８，９  ＰＴＰホルダー（ブリスター収納体）
10，10Ａ，10Ｂ  正面パネル
11  窓部
12  切込み（差込み口）
12Ａ  すき間（差込み口）
19，29  切込み
13，24  係止片
13Ａ，15Ａ，16Ａ，24Ａ，25Ａ，27Ａ，41Ａ  係止端（第１のストッパ機構，第２のストッパ機構）
14，15，16  係止補強パネル
20，20Ａ  背面パネル
21  指通し孔
25，27，41  係止パネル
26  薬剤取出し孔
28  開閉フラップ
28ａ  頭部
42，44  差込み孔
50  ＰＴＰ
51  薬剤収容部
52  錠剤
53  基板
54  封止シート
55  薬剤取出し範囲
56  フランジ部
Ｌ１，Ｌ２，Ｌ３，Ｌ４，Ｌ５，Ｌ６，Ｌ７，Ｌ８，Ｌ９，Ｌ10，Ｌ11，Ｌ12，Ｌ13，Ｌ14  折り線
【図１】
0006330564.tif 000002
【図２】
0006330564.tif 000003
【図３】
0006330564.tif 000004
【図４】
0006330564.tif 000005
【図５】
0006330564.tif 000006
【図６】
0006330564.tif 000007
【図７】
0006330564.tif 000008
【図８】
0006330564.tif 000009
【図９】
0006330564.tif 000010
【図１０】
0006330564.tif 000011
【図１１】
0006330564.tif 000012
【図１２】
0006330564.tif 000013
【図１３】
0006330564.tif 000014
【図１４】
0006330564.tif 000015
【図１５】
0006330564.tif 000016
【図１６】
0006330564.tif 000017
【図１７】
0006330564.tif 000018
【図１８】
0006330564.tif 000019
【図１９】
0006330564.tif 000020
【図２０】
0006330564.tif 000021
【図２１】
0006330564.tif 000022
【図２２】
0006330564.tif 000023
【図２３】
0006330564.tif 000024
【図２４】
0006330564.tif 000025
【図２５】
0006330564.tif 000026
【図２６】
0006330564.tif 000027
【図２７】
0006330564.tif 000028
【図２８】
0006330564.tif 000029
【図２９】
0006330564.tif 000030
【図３０】
0006330564.tif 000031
【図３１】
0006330564.tif 000032
【図３２】
0006330564.tif 000033
【図３３】
0006330564.tif 000034
【図３４】
0006330564.tif 000035
【図３５】
0006330564.tif 000036